(57)【要約】【課題】ロール紙を簡単に着脱できるロール紙保持構造を提供する。【解決手段】一側を固定端とし、他側を開放端として、該開放端から遊嵌したロール紙ｂを回転自在に吊持する水平方向の用紙吊持杆１０を備えるロール紙保持構造２にあって、該用紙吊持杆１０の上面から起立して、該用紙吊持杆１０に遊嵌したロール紙ｂの側面を開放端側から支持する開放端側規制板１１を、用紙吊持杆１０の開放端側に傾倒可能となるように軸支し、且つ、開放端側規制板１１の下端に、その起立状態で、用紙吊持杆１０の上面に沿って、該用紙吊持杆１０の固定端方向へ延出する支持座片１３を配設した。かかる構成によれば、開放端側規制板１１を傾倒することによって、ロール紙ｂを簡単に着脱でき、ロール紙ｂの保持状態では、ロール紙ｂの内周面を支持座片１３上に乗せることにより、開放端側規制板１１を起立状態に留めておくことができる。【選択図】図７
0003126837.tif 000002
【実用新案登録請求の範囲】
【請求項１】
一側を固定端とし、他側を開放端として、該開放端から遊嵌したロール紙を回転自在に吊持する水平方向の用紙吊持杆と、
該用紙吊持杆の上面から起立して、該用紙吊持杆に遊嵌したロール紙の側面を開放端側から支持する開放端側規制板と
を備えるロール紙保持構造において、
前記開放端側規制板は、用紙吊持杆の開放端側に傾倒可能となるように軸支され、
開放端側規制板の下端部には、その起立状態で、用紙吊持杆の上面に沿って該用紙吊持杆の固定端方向へ延出する支持座片が設けられており、
ロール紙の保持状態では、該ロール紙の内周面が支持座片の上に乗載することによって、開放端側規制板が起立状態に支持されることを特徴とするロール紙保持構造。
【請求項２】
用紙吊持杆の上面に、該用紙吊持杆の長手方向に沿って摺動可能に設けられた開放端側摺動基板を備え、
該開放端側摺動基板に、開放端側規制板が傾動可能に取り付けられていることを特徴とする請求項１記載のロール紙保持構造。
【考案の詳細な説明】
【技術分野】
【０００１】
本考案は、ロール紙保持構造に関し、特に、ロール紙を片持ち構造によって回転自在に吊持するものに関する。
【背景技術】
【０００２】
従来のロール紙保持構造には、ロール紙を片持ち構造によって回転自在に吊持するものがある（例えば特許文献１）。
【０００３】
図９は、このタイプの従来のロール紙保持構造の正面図である。ロール紙保持構造４０は、ロール紙ｂを吊持する水平な用紙吊持杆４１を備える。この用紙吊持杆４１の上面には、ロール紙ｂの側面に当接してロール紙ｂの位置決めを行う規制板４２ａ，４２ｂが立設される。かかるロール紙保持構造４０では、用紙吊持杆４１の開放端側（図中右側）からロール紙ｂの着脱を行うのであるが、この際に、ロール紙ｂを開放端側から支持する開放端側規制板４２ａが邪魔になるため、ロール紙ｂを着脱するたびに開放端側規制板４２ａを用紙吊持杆４１から取り外さなければならず、ロール紙ｂの着脱作業に時間がかかっている。
【０００４】
この問題に対して、ロール紙の内径を大きくしたり、開放端側規制板の高さを低くしたりすれば開放端側規制板を取り外すことなくロール紙を着脱できるが、かかる場合には、ロール紙の内径や、開放端側規制板の高さが厳しく制限されるため、実用的なものを得ることはできない。
【０００５】
【特許文献１】特開平９−１７４９７２号公報
【考案の開示】
【考案が解決しようとする課題】
【０００６】
本考案は、かかる現状に鑑みてなされたものであり、従来構成同様のロール紙保持機能を有し、且つ、ロール紙をより簡単に着脱できるロール紙保持構造の提供を目的とするものである。
【課題を解決するための手段】
【０００７】
本考案は、一側を固定端とし、他側を開放端として、該開放端から遊嵌したロール紙を回転自在に吊持する水平方向の用紙吊持杆と、該用紙吊持杆の上面から起立して、該用紙吊持杆に遊嵌したロール紙の側面を開放端側から支持する開放端側規制板とを備えるロール紙保持構造において、前記開放端側規制板は、用紙吊持杆の開放端側に傾倒可能となるように軸支され、開放端側規制板の下端部には、その起立状態で、用紙吊持杆の上面に沿って該用紙吊持杆の固定端方向へ延出する支持座片が設けられており、ロール紙の保持状態では、該ロール紙の内周面が支持座片の上に乗載することによって、開放端側規制板が起立状態に支持されることを特徴とするロール紙保持構造である。
【０００８】
かかる構成によれば、開放端側規制板を起立状態から傾倒状態に変換することができ、開放端側規制板を傾倒させれば、開放端側規制板を取り外すことなく、ロール紙を着脱可能となる。一方で、ロール紙の保持状態では、ロール紙の重みによって開放端側規制板が起立状態に支持されるため、ロール紙が開放端側規制板を側方に押圧しても、開放端側規制板は傾倒せずにロール紙側面を確実に支持する。
【０００９】
具体的には、ロール紙を装着する際には、開放端側規制板を傾倒させた状態でロール紙を用紙吊持杆に押し込む。この際、開放端側規制板が傾倒しているため、開放端側規制板が高いものであっても、開放端側規制板に衝突させることなくロール紙を押し込むことができる。なお、開放端側規制板の傾倒状態では、支持座片が上方寄りに延出することとなるが、支持座片は、開放端側規制板に比べて短尺なものでも十分機能するため、ロール紙装着の邪魔となることはない。
【００１０】
ロール紙を所要の位置まで押し入れた段階で開放端側規制板を起立させ、ロール紙の側面に当接させる。そして、かかる状態で、開放端側規制板の支持座片の上にロール紙の内周面を乗載させて、ロール紙を用紙吊持杆に吊持させる。かかる状態では、支持座片がロール紙に押え付けられることによって開放端側規制板が起立状態に保持され、ロール紙は起立した開放端側規制板によって側面から支持されることとなる。
【００１１】
一方、装着したロール紙を取り外す場合は、当該ロール紙を軽く持ち上げて、用紙吊持杆の開放端側へと水平移動させるだけでよい。すなわち、ロール紙を持ち上げると支持座片がロール紙の重みから解放されて開放端側規制板が傾倒可能となるため、その状態から、ロール紙を開放端側に移動させれば、開放端側規制板がロール紙に押圧されて傾倒し、ロール紙を用紙吊持杆から引き抜き可能となる。
【００１２】
なお、ロール紙を用紙吊持杆から引き抜いた状態では、開放端側規制板が傾倒状態であるから、開放端側規制板を傾動操作することなく、そのまま新しいロール紙を用紙吊持杆に嵌めることができる。
【００１３】
本考案における開放端側規制板は、用紙吊持杆に直接軸支することもできるし、用紙吊持杆に取り付けられた他の部材に軸支することもできる。例えば、用紙吊持杆の上面に、該用紙吊持杆の長手方向に沿って摺動可能に設けられた開放端側摺動基板を備え、該開放端側摺動基板に、開放端側規制板が傾動可能に取り付けられている構成が提案される。かかるロール紙保持構造は、開放端側摺動基板を摺動させることによって、多様な幅のロール紙を保持することができる。
【考案の効果】
【００１４】
このように、本考案のロール紙保持構造によれば、開放端側規制板を取り外すことなくロール紙を簡単に着脱可能となる。また、本考案のロール紙保持構造は、ロール紙の内径や、開放端側規制板の高さが制限されず、実用性に富む。また、開放端側規制板の傾倒や起立は、ロール紙の着脱操作と連動して行うことができるため、ロール紙の着脱を、簡単且つ短時間で行うことができる。また、ロール紙の保持状態では、開放端側規制板はロール紙の自重によって起立状態に支持されるから、ロール紙が大きく、重いものであっても、その側面をしっかりと支持できる。また、かかるロール紙保持構造は、構造が簡単であり、低廉に実現できるという利点もある。
【考案を実施するための最良の形態】
【００１５】
本考案のロール紙保持構造は、プリンタや、プリンタに記録用紙を供給するロール紙スタンドなどに好適に配設できる。以下に、本考案をロール紙スタンドに適用した実施例を説明する。
【００１６】
図１〜３は、本考案のロール紙保持構造を備えるロール紙スタンド１の正面図、側面図、平面図である。
【００１７】
ロール紙スタンド１は、床面等に載置される基台３と、該基台３の左後部に立設される縦長板状の側板４とを備えている。ロール紙保持構造２は、側板４の上部右側面から右方に突設される。基台３、側板４、及びロール紙保持構造２は、主に板金加工されたステンレス板片によって構成される。
【００１８】
基台３には、ロール紙スタンド１に適合したプリンタａが載置されることとなる。ロール紙保持構造２は、載置されたプリンタａの後部上方に位置することとなる。図２に示すように、ロール紙保持構造２にはロール紙ｂが保持されることとなり、該ロール紙ｂに巻回された用紙ｄが、側板４の下部右側面に突設されたガイドロール５を経由して、プリンタａ背面に開口する給紙口ｃへ取り込まれるようになっている。プリンタａが用紙ｄを給紙口ｃから内部に引き込むと、ロール紙ｂが用紙吊持杆１０を中心に図中矢印方向に回転し、用紙ｄが順次給紙口ｃへ供給される。
【００１９】
図４に示すように、ロール紙保持構造２は、側板４の上部に左端を固定され、右端から遊嵌したロール紙ｂを回転自在に吊持する水平方向の用紙吊持杆１０と、該用紙吊持杆１０に遊嵌したロール紙ｂの側面を支持する開放端側規制板１１及び固定端側規制板１２とを備えている。
【００２０】
用紙吊持杆１０は、ステンレス板をプレス加工してなる杆状板片である。図４に示すように、この用紙吊持杆１０は、左端を側板４の上部に螺着されて直右方に突出し、右端は開放している。すなわち、用紙吊持杆１０の左端が固定端に該当し、右端が開放端に該当する。用紙吊持杆１０の、長さ方向に直交する側断面形状はいずれも同形状をなしている。この側断面形状は、図５に示すように、ロール紙ｂの内径に収まり得る大きさである。図５に示すように、用紙吊持杆１０の上面は、前方に下り傾斜する前側上面部１０ｂと、後方に下り傾斜する後側上面部１０ｃとからなり、その前後幅の中央部分には、凸状の屈折部１０ａが形成されている。図２に示すように、用紙吊持杆１０に装着されるロール紙ｂは、該屈折部１０ａ及び用紙吊持杆１０の前後端部で吊持されることとなる。
【００２１】
図４に示すように、用紙吊持杆１０の前側上面部１０ｂには、ステンレス板を貫通し、用紙吊持杆の長手方向に沿って伸びる細長いガイド溝孔１５が設けられている。そして、用紙吊持杆１０には、前側上面部１０ｂの上をガイド溝孔１５に沿って摺動する２枚の薄板状摺動基板１６，１７が取り付けられる。各摺動基板１６，１７の中央部には、下方に突出してガイド溝孔１５と嵌合するガイドピン２０が螺着される。２枚の摺動基板１６，１７のうち、右側に取り付けられる開放端側摺動基板１６には、開放端側規制板１１が配設され、左側に取り付けられる固定端側摺動基板１７には、固定端側規制板１２が配設されており、各摺動基板１６，１７を摺動させることによって各規制板１１，１２の起立位置を調整可能となっている。また、各摺動基板１６，１７には、上部ツマミネジ２２と下部押え板２３とからなる締結部材が取り付けられており、各摺動基板１６，１７の上部ツマミネジ２２を締め付けると、摺動基板１６，１７が摺動不能となり、規制板１１，１２の起立位置が固定される。
【００２２】
固定端側規制板１２は、縦長板状をなすものであり、固定端側摺動基板１７の右端縁から、用紙吊持杆１０の前側上面部１０ｂと直交する方向に立設されている。この固定端側規制板１２は、固定端側摺動基板１７と一体的に設けられており、固定端側摺動基板１７とともに左右にスライドし、所要位置でロール紙ｂの左側面に当接することによって、ロール紙ｂを左方から支持する働きをする。
【００２３】
図４に示すように、開放端側規制板１１は、ロール紙ｂの右側面に当接して、開放端側摺動基板１６の左端縁にヒンジ１８を介して取り付けられる。この開放端側規制板１１は、用紙吊持杆１０の前側上面部１０ｂと直交する方向に起立する起立状態（図６（Ａ））と、前側上面部１０ｂに沿うように右方に傾倒する傾倒状態とに変換可能となっている。この開放端側規制板１１は、開放端側摺動基板１６とともに左右にスライドし、所要位置でロール紙ｂの右側面に当接することによって、ロール紙ｂを右方から支持する働きをする。また、図５に示すように、開放端側規制板１１には、上部ツマミネジ２２と衝突せずに傾倒し得るように、上部ツマミネジ２２を通過させる円形の貫通孔２１が形成されている。
【００２４】
図６（Ａ）に示すように、開放端側規制板１１には、その起立状態において、その下端から左方に延出する短尺板状の支持座片１３が配設されている。この支持座片１３は、開放端側規制板１１の起立状態で、用紙吊持杆１０の前側上面部１０ｂに沿うように延出しており、ロール紙ｂの保持状態で、この支持座片１３上にロール紙ｂの内周面がに圧し掛かることにより、開放端側規制板１１が右方に傾倒しないように支持される。開放端側規制板１１と支持座片１３とは、一体のＬ字状ステンレス片によって構成されており、図６（Ｂ）に示すように、開放端側規制板１１が右方に傾倒すると、これに伴って支持座片１３が上方に回動して、用紙吊持杆１０の前側上面部１０ｂと直交するように起立する。ここで、支持座片１３の延出長さは、開放端側規制板１１の高さの５分の１程度であり、図５に示すように、開放端側規制板１１の傾倒状態にあっては、開放端側規制板１１や支持座片１３に衝突させることなく、ロール紙ｂを用紙吊持杆２の奥まで押し入れることができる。また、開放端側規制板１１の起立状態（図６Ａ）にあっては、この支持座片１３が用紙吊持杆１０の前側上面部１０ａに当接することにより、開放端側規制板１１が左方へ傾倒不能となる。
【００２５】
次に、ロール紙ｂの装着方法を説明する。
【００２６】
まず、ロール紙ｂを装着する前に、必要であれば上部ツマミネジ２２を緩め、ロール紙ｂの幅に適した位置へ規制板１１，１２をスライドし、固定する（図４参照）。
【００２７】
開放端側規制板１１を右側に傾倒させた状態で、ロール紙ｂを、開放端から用紙吊持杆１０に嵌める（図７（Ａ）参照）。かかる際には、開放端側規制板１１は、用紙吊持杆１０の前側上面部１０ｂに沿うように傾倒しており、また、支持座片１３は起立しているものの、開放端側規制板１１よりもずっと短尺なものであるため、ロール紙ｂを開放端側規制板１１や支持座片１３に衝突させることなく用紙吊持杆１０の奥まで嵌め込むことができる。
【００２８】
ロール紙ｂを固定端側規制板１２近くまで嵌め込んだら、ロール紙ｂを支持座片１３に引っ掛けるようにして支持座片１３を左方に傾倒させ、これにより傾倒していた開放端側規制板１１を起立させてロール紙ｂの右側面に当接させる（図７（Ｂ）参照）。最後に、ロール紙ｂの内周面を支持座片１３に乗載させるようにして、ロール紙ｂを用紙吊持杆１０に吊持させる（図７（Ｃ）参照）。かかる状態では、支持座片１３がロール紙ｂの重みによって押え付けられ、開放端側規制板１１が起立状態に支持される。また、これとともに、ロール紙ｂは、両側の規制板１１，１２に支持されることとなり、左右に揺れ動くことなく、用紙吊持杆１０の周りを回転可能に保持される。
【００２９】
次に、ロール紙ｂの取外し方法を説明する。
ロール紙保持構造２に装着されたロール紙ｂを取り外す場合は、まず、ロール紙ｂを持ち上げる（図８Ａ参照）。これにより、支持座片１３がロール紙ｂの重みから解放されて、開放端側規制板１１が傾倒可能となる。続いて、ロール紙ｂを右方に移動させると（図８（Ｂ）参照）、開放端側規制板１１がロール紙ｂに押されて傾倒状態となり、そのまま、ロール紙ｂを右方に移動させれば、ロール紙ｂを用紙吊持杆１０から抜き取ることができる（図８（Ｃ）参照）。
【００３０】
このように、本実施例のロール紙保持構造２によれば、開放端側規制板１１を取り外すことなくロール紙ｂを着脱できる。また、ロール紙ｂの着脱の際には、開放端側規制板１１を傾倒させるので、ロール紙ｂの内径や、開放端側規制板１１の高さが制限されない。また、着脱の際にロール紙ｂで開放端側規制板１１を押したり、支持座片１３を引っ掛けたりすることによって、開放端側規制板１１を傾倒させたり、起立させたりできるため、ロール紙ｂの着脱を簡単に、且つ、短時間で行うことができる。また、ロール紙ｂの保持状態においては、開放端側規制板１１は、ロール紙ｂの自重によって起立状態に支持されるため、開放端側規制板１１は、ロール紙ｂを右側からしっかりと支持できる。また、かかるロール紙保持構造２は、図９に示したような、従来のロール紙保持構造４０に比較的小さな部品変更によって実現できるため、低廉に実現できるという利点もある。
【００３１】
なお、本考案におけるロール紙保持構造は、上記実施例の形態に限らず本考案の要旨を逸脱しない範囲内において種々変更を加えることができる。
【００３２】
例えば、上記実施例にあっては、開放端側規制板１１が、開放端側摺動基板１６に取り付けられて、用紙吊持杆１０の長手方向に沿ってスライド可能となっているが、開放端側規制板１１を用紙吊持杆１０の上面に直接取り付けることができる。また、固定端側規制板１２は、側板４で代用することも可能である。また、上記実施例では、開放端側規制板１１が略水平に傾倒するようにしているが、ロール紙ｂが通過できる程度に傾倒させればよく、必ずしも水平状に傾倒する必要はない。また、実施例は、本考案をロール紙スタンドに適用したものであるが、本考案のロール紙保持構造は、プリンタに設けられるロール紙保持構造にも適用できる。
【図面の簡単な説明】
【００３３】
【図１】ロール紙スタンド１の正面図である。
【図２】ロール紙スタンド１の側面図である。
【図３】ロール紙スタンド１の平面図である。
【図４】ロール紙保持構造２の正面図である。
【図５】開放端側規制板１１の傾倒状態におけるロール紙保持構造２の右側面図である。
【図６】図２中のｖ方向から見たロール紙保持構造２の拡大図であり、（Ａ）は、開放端側規制板１１の起立状態を、（Ｂ）は、開放端側規制板１１の傾倒状態を示す。
【図７】ロール紙ｂの装着方法を示す説明図である。
【図８】ロール紙ｂの取外し方法を示す説明図である。
【図９】従来のロール紙保持構造４０を示す説明図である。
【符号の説明】
【００３４】
１  ロール紙スタンド
２  ロール紙保持構造
３  基台
４  側板
５  ガイドロール
１０  用紙吊持杆
１１  開放端側規制板
１２  固定端側規制板
１３  支持座片
１５  ガイド溝孔
１６  開放端側摺動基板
１７  固定端側摺動基板
１８  ヒンジ
ａ  プリンタ
ｂ  ロール紙
ｃ  給紙口
ｄ  用紙
【図１】
0003126837.tif 000003
【図２】
0003126837.tif 000004
【図３】
0003126837.tif 000005
【図４】
0003126837.tif 000006
【図５】
0003126837.tif 000007
【図６】
0003126837.tif 000008
【図７】
0003126837.tif 000009
【図８】
0003126837.tif 000010
【図９】
0003126837.tif 000011